(57)【要約】【課題】表示面の数が変動した場合であっても各表示面に画像を表示させるとともに、装置の軽量化を実現する。【解決手段】マスタ表示装置は、連結されたスレーブ表示装置又はそのスレーブ表示装置を介して連結されたスレーブ表示装置に対して、各々のスレーブ表示装置を識別する装置ＩＤを割り当て、その装置ＩＤ及び自装置に割り当てられた装置ＩＤと、ＲＯＭに記憶された各画像データとを対応付ける。そして、マスタ表示装置は、自装置の装置ＩＤに対応付けられた画像データに応じた画像を記憶性表示体に表示させるとともに、電源から供給される電力を連結されたスレーブ表示装置に供給し、割り当てた装置ＩＤにより識別されるスレーブ表示装置を宛先として、その装置ＩＤに対応付けられた画像データを送信する。【選択図】図１
2009211418.tif 000002
【特許請求の範囲】
【請求項１】
電力を供給する電力供給手段と、
データを記憶する記憶手段と、
複数の表示素子が配列された表示面を有し、当該表示素子が駆動されて画像を表示するまでの期間においては電力が供給され、当該画像が表示された後は、電力が供給されなくても当該画像を表示し続ける表示手段と、
自装置の前記表示面と他の表示装置の表示面とが重なる第１の位置と、自装置の前記表示面と前記他の表示装置の表示面とが重ならない第２の位置との間を移動し得る状態で、自装置と前記他の表示装置とを連結する連結手段と、
前記連結手段に連結された前記他の表示装置、又は、当該他の表示装置を介して前記連結手段に連結されたさらに他の表示装置に対して、各々の前記他の表示装置を識別する他装置識別情報を割り当て、当該他装置識別情報及び自装置に割り当てられた自装置識別情報と、前記記憶手段に記憶された各データとを対応付ける割当手段と、
前記電力供給手段から供給される電力を用いて前記表示手段の表示素子を駆動し、前記割当手段により前記自装置識別情報に対応付けられたデータに応じた画像を当該表示手段に表示させる表示制御手段と、
前記電力供給手段から供給される電力を前記連結手段に連結された前記他の表示装置に供給し、前記他装置識別情報により識別される前記他の表示装置を宛先として、当該他装置識別情報に対応付けられたデータを送信する送信手段と
を備えることを特徴とする表示装置。
【請求項２】
第１の表示装置と、複数の第２の表示装置とを備え、
前記第１の表示装置および各々の前記第２の表示装置は、
複数の表示素子が配列された表示面を有し、当該表示素子が駆動されて画像を表示するまでの期間においては電力が供給され、当該画像が表示された後は、電力が供給されなくても当該画像を表示し続ける表示手段と、
自装置の前記表示面と他の前記表示装置の前記表示面とが重なる第１の位置と、自装置の前記表示面と他の前記表示装置の前記表示面とが重ならない第２の位置との間を移動し得る状態で、自装置と他の前記表示装置とを連結する連結手段とを備え、
前記第１の表示装置は、
電力を供給する電力供給手段と、
データを記憶する記憶手段と、
自装置の前記連結手段に連結された前記第２の表示装置、又は、当該第２の表示装置を介して当該連結手段に連結された前記第２の表示装置に対して、各々の前記第２の表示装置を識別する他装置識別情報を割り当て、当該他装置識別情報及び自装置に割り当てられた自装置識別情報と、前記記憶手段に記憶された各データとを対応付ける割当手段と、
前記電力供給手段から供給される電力を用いて前記表示手段の表示素子を駆動し、前記割当手段により前記自装置識別情報に対応付けられたデータに応じた画像を当該表示手段に表示させる第１の表示制御手段と、
前記電力供給手段から供給される電力を前記連結手段に連結された前記第２の表示装置に供給し、前記他装置識別情報により識別される前記第２の表示装置を宛先として、当該他装置識別情報に対応付けられたデータを送信する送信手段とを備え、
各々の前記第２の表示装置は、
自装置の前記連結手段に連結された前記第１の表示装置又は前記第２の表示装置から供給される電力を受け取って、当該電力の供給元以外の前記第２の表示装置に供給する一方、受け取った前記電力を用いて、自装置の前記連結手段に連結された前記第１の表示装置又は前記第２の表示装置から送信されてくるデータを受信し、受信したデータを当該データの送信元以外の前記第２の表示装置に送信する送受信手段と、
前記送受信手段が受け取った電力を用いて自装置の前記表示手段の表示素子を駆動し、当該送受信手段によって受信された、自装置を宛先としたデータに応じた画像を当該表示手段に表示させる第２の表示制御手段とを備える
ことを特徴とする表示システム。
【請求項３】
前記第１の表示装置の前記送信手段は、自装置の前記連結手段に連結された前記第２の表示装置が前記第２の位置にあるときに、当該第２の表示装置に電力を供給してデータを送信し、
前記第２の表示装置の前記送受信手段は、自装置の前記連結手段に連結された前記第２の表示装置が前記第２の位置にあるときに、当該第２の表示装置に電力を供給してデータを送信する
ことを特徴とする請求項２に記載の表示システム。
【請求項４】
前記第１の表示装置および各々の前記第２の表示装置の前記連結手段は、
前記第１の位置と前記第１の表示装置から見て第１の方向にある前記第２の位置との間、及び、前記第１の位置と前記第１の表示装置から見て前記第１の方向と反対の第２の方向にある前記第２の位置との間で、各々の前記第２の表示装置が移動し得る状態で、自装置と他の前記表示装置とを連結する
ことを特徴とする請求項２又は３に記載の表示システム。
【請求項５】
前記第１の表示装置の前記送信手段及び前記第２の表示装置の前記送受信手段は、前記連結手段によって連結された自装置又は他の表示装置が移動可能な方向に長手方向を有する形状である
ことを特徴とする請求項２乃至４のいずれかに記載の表示システム。
【請求項６】
前記第１の表示装置の前記割当手段は、割り当てた他装置識別情報を所定の順序で、自装置の前記連結手段に連結された前記第２の表示装置に送信し、
各々の前記第２の表示装置の前記送受信手段は、
送信されてきた前記他装置識別情報のうち、自装置に対応した順序で送信されてきた他装置識別情報を取得し、取得した当該他装置識別情報以外の他装置識別情報を自装置の前記連結手段に連結された他の前記第２の表示装置に送信する
ことを特徴とする請求項２乃至５のいずれかに記載の表示システム。
【請求項７】
前記第１の表示装置の前記送信手段は、電磁誘導によって電力を供給するとともに無線でデータを送信し、
各々の前記第２の表示装置の前記送受信手段は、電磁誘導によって電力の供給を受けるとともに無線で送信されてきたデータを受信し、電磁誘導によって電力を供給するとともに無線でデータを送信する
ことを特徴とする請求項２乃至６のいずれかに記載の表示システム。
【請求項８】
電力を供給する電力供給手段と、データを記憶する記憶手段と、複数の表示素子が配列された表示面を有し、当該表示素子が駆動されて画像を表示するまでの期間においては電力が供給され、当該画像が表示された後は、電力が供給されなくても当該画像を表示し続ける表示手段と、自装置の前記表示面と他の表示装置の表示面とが重なる第１の位置と、自装置の前記表示面と前記他の表示装置の表示面とが重ならない第２の位置との間を移動し得る状態で、自装置と前記他の表示装置とを連結する連結手段とを有する表示装置のコンピュータを、
前記連結手段に連結された前記他の表示装置、又は、当該他の表示装置を介して前記連結手段に連結されたさらに他の表示装置に対して、各々の前記他の表示装置を識別する他装置識別情報を割り当て、当該他装置識別情報及び自装置に割り当てられた自装置識別情報と、前記記憶手段に記憶された各データとを対応付ける割当手段と、
前記電力供給手段から供給される電力を用いて前記表示手段の表示素子を駆動し、前記割当手段により前記自装置識別情報に対応付けられたデータに応じた画像を当該表示手段に表示させる表示制御手段と、
前記電力供給手段から供給される電力を前記連結手段に連結された前記他の表示装置に供給し、前記他装置識別情報により識別される前記他の表示装置を宛先として、当該他装置識別情報に対応付けられたデータを送信する送信手段と
して機能させるためのプログラム。
【発明の詳細な説明】
【技術分野】
【０００１】
本発明は、複数の表示装置に画像を表示させる技術に関する。
【背景技術】
【０００２】
複数の表示装置を連結させて、各表示装置の表示面にそれぞれ異なる画像を同時に表示する技術が知られている。例えば、特許文献１には、見開き可能に連結された２つの表示装置を用いて、目次を表すページと、選択されたページとを各表示面に表示する技術が提案されている。また、特許文献２には、本を模した形状になるように複数の表示装置を連結して使用する技術が提案されている。
【特許文献１】特開２００１−１０１２０２号公報
【特許文献２】特開２００２−２２１９１８号公報
【発明の開示】
【発明が解決しようとする課題】
【０００３】
ところで、上記特許文献１、２に記載された技術では、利用者は同時に２つの表示面しか見ることができない。しかしながら、表示装置を利用するときの目的や利用者の数によっては、２つの表示面だけを見れば十分という場合のほか、例えば３つ以上の任意の数の表示面を並べて全体を俯瞰的に閲覧したいとか、各々の利用者が各表示面の表示内容を精査したいというような場合がある。
そこで、同時に閲覧できる表示面の数を自由に増やしたり減らしたりすることができれば便利である。ところが、利用者が表示面の数を恣意的に変えてしまうと、表示面の数が変動しないことを前提とした従来の表示制御方法では、各表示面に画像を適切に表示することができない。また、表示面を増やす場合には、構成が大規模になることで重量や装置面積が増加し、可搬性が悪くなるという問題がある。
本発明は、このような背景に鑑みてなされたものであり、表示面の数が変動した場合であっても各表示面に画像を表示させるとともに、可搬性を損なわないように装置の軽量化と不使用時の装置面積を縮小可能な構成を実現することを目的とする。
【課題を解決するための手段】
【０００４】
本発明は、電力を供給する電力供給手段と、データを記憶する記憶手段と、複数の表示素子が配列された表示面を有し、当該表示素子が駆動されて画像を表示するまでの期間においては電力が供給され、当該画像が表示された後は、電力が供給されなくても当該画像を表示し続ける表示手段と、自装置の前記表示面と他の表示装置の表示面とが重なる第１の位置と、自装置の前記表示面と前記他の表示装置の表示面とが重ならない第２の位置との間を移動し得る状態で、自装置と前記他の表示装置とを連結する連結手段と、前記連結手段に連結された前記他の表示装置、又は、当該他の表示装置を介して前記連結手段に連結されたさらに他の表示装置に対して、各々の前記他の表示装置を識別する他装置識別情報を割り当て、当該他装置識別情報及び自装置に割り当てられた自装置識別情報と、前記記憶手段に記憶された各データとを対応付ける割当手段と、前記電力供給手段から供給される電力を用いて前記表示手段の表示素子を駆動し、前記割当手段により前記自装置識別情報に対応付けられたデータに応じた画像を当該表示手段に表示させる表示制御手段と、前記電力供給手段から供給される電力を前記連結手段に連結された前記他の表示装置に供給し、前記他装置識別情報により識別される前記他の表示装置を宛先として、当該他装置識別情報に対応付けられたデータを送信する送信手段とを備えることを特徴とする表示装置を提供する。これにより、表示面の数が変動した場合であっても各表示面に画像を表示させるとともに、可搬性を損なわないように装置の軽量化と不使用時の装置面積を縮小可能な構成を実現することができる。
【０００５】
また、本発明は、第１の表示装置と、複数の第２の表示装置とを備え、前記第１の表示装置および各々の前記第２の表示装置は、複数の表示素子が配列された表示面を有し、当該表示素子が駆動されて画像を表示するまでの期間においては電力が供給され、当該画像が表示された後は、電力が供給されなくても当該画像を表示し続ける表示手段と、自装置の前記表示面と他の前記表示装置の前記表示面とが重なる第１の位置と、自装置の前記表示面と他の前記表示装置の前記表示面とが重ならない第２の位置との間を移動し得る状態で、自装置と他の前記表示装置とを連結する連結手段とを備え、前記第１の表示装置は、電力を供給する電力供給手段と、データを記憶する記憶手段と、自装置の前記連結手段に連結された前記第２の表示装置、又は、当該第２の表示装置を介して当該連結手段に連結された前記第２の表示装置に対して、各々の前記第２の表示装置を識別する他装置識別情報を割り当て、当該他装置識別情報及び自装置に割り当てられた自装置識別情報と、前記記憶手段に記憶された各データとを対応付ける割当手段と、前記電力供給手段から供給される電力を用いて前記表示手段の表示素子を駆動し、前記割当手段により前記自装置識別情報に対応付けられたデータに応じた画像を当該表示手段に表示させる第１の表示制御手段と、前記電力供給手段から供給される電力を前記連結手段に連結された前記第２の表示装置に供給し、前記他装置識別情報により識別される前記第２の表示装置を宛先として、当該他装置識別情報に対応付けられたデータを送信する送信手段とを備え、各々の前記第２の表示装置は、自装置の前記連結手段に連結された前記第１の表示装置又は前記第２の表示装置から供給される電力を受け取って、当該電力の供給元以外の前記第２の表示装置に供給する一方、受け取った前記電力を用いて、自装置の前記連結手段に連結された前記第１の表示装置又は前記第２の表示装置から送信されてくるデータを受信し、受信したデータを当該データの送信元以外の前記第２の表示装置に送信する送受信手段と、前記送受信手段が受け取った電力を用いて自装置の前記表示手段の表示素子を駆動し、当該送受信手段によって受信された、自装置を宛先としたデータに応じた画像を当該表示手段に表示させる第２の表示制御手段とを備えることを特徴とする表示システムを提供する。これにより、表示面の数が変動した場合であっても各表示面に画像を表示させるとともに、可搬性を損なわないように装置の軽量化と不使用時の装置面積を縮小可能な構成を実現することができる。
【０００６】
さらに、本発明は、電力を供給する電力供給手段と、データを記憶する記憶手段と、複数の表示素子が配列された表示面を有し、当該表示素子が駆動されて画像を表示するまでの期間においては電力が供給され、当該画像が表示された後は、電力が供給されなくても当該画像を表示し続ける表示手段と、自装置の前記表示面と他の表示装置の表示面とが重なる第１の位置と、自装置の前記表示面と前記他の表示装置の表示面とが重ならない第２の位置との間を移動し得る状態で、自装置と前記他の表示装置とを連結する連結手段とを有する表示装置のコンピュータを、前記連結手段に連結された前記他の表示装置、又は、当該他の表示装置を介して前記連結手段に連結されたさらに他の表示装置に対して、各々の前記他の表示装置を識別する他装置識別情報を割り当て、当該他装置識別情報及び自装置に割り当てられた自装置識別情報と、前記記憶手段に記憶された各データとを対応付ける割当手段と、前記電力供給手段から供給される電力を用いて前記表示手段の表示素子を駆動し、前記割当手段により前記自装置識別情報に対応付けられたデータに応じた画像を当該表示手段に表示させる表示制御手段と、前記電力供給手段から供給される電力を前記連結手段に連結された前記他の表示装置に供給し、前記他装置識別情報により識別される前記他の表示装置を宛先として、当該他装置識別情報に対応付けられたデータを送信する送信手段として機能させるためのプログラムを提供する。これにより、表示面の数が変動した場合であっても各表示面に画像を表示させるとともに、可搬性を損なわないように装置の軽量化と不使用時の装置面積を縮小可能な構成を実現することができる。
【発明を実施するための最良の形態】
【０００７】
［構成］
（表示システムの構成）
図１は、本実施形態に係る表示システム１の外観を示す斜視図である。この表示システム１は、第１の表示装置である１台のマスタ表示装置１０と、第２の表示装置である３台のスレーブ表示装置２０Ａ〜２０Ｃとによって構成されている。以下の説明において、スレーブ表示装置２０Ａ〜２０Ｃを特に区別する必要がない場合には、これらを総称して「スレーブ表示装置２０」という。マスタ表示装置１０及びスレーブ表示装置２０は、互いに着脱自在になるような構造を有している。したがって、利用者は、図に示すように、マスタ表示装置１０に対してスレーブ表示装置２０Ａ〜２０Ｃを全て連結して使用することもできるし、スレーブ表示装置２０Ａだけ、あるいはスレーブ表示装置２０Ａとスレーブ表示装置２０Ｂだけを連結して使用することもできる。
【０００８】
図２は、図１に示した表示システム１を図中の矢印I方向から見たときの側面図である。同図に示すように、マスタ表示装置１０の裏面側には、紙面に垂直な方向に延びる直線状のレールｄ１が２列設けられており、スレーブ表示装置２０Ａの表面側には、紙面に垂直な方向に延びる直線状のレールｄ１’が２列設けられている。これらのレールｄ１とレールｄ１’が互いに噛み合うことで、マスタ表示装置１０とスレーブ表示装置２０Ａとが連結される。スレーブ表示装置２０Ａは、マスタ表示装置１０のレールｄ１の長手方向に沿ってスライドさせられることにより、図１中の矢印Ｒ方向および矢印Ｌ方向に移動することができる。同様に、スレーブ表示装置２０Ａの裏面側には、紙面に垂直な方向に延びる直線状のレールｄ２が２列設けられており、スレーブ表示装置２０Ｂの表面側には、紙面に垂直な方向に延びる直線状のレールｄ２’が２列設けられている。スレーブ表示装置２０Ｂは、スレーブ表示装置２０Ａのレールｄ２の長手方向に沿って図１中の矢印Ｒ方向および矢印Ｌ方向に移動することができる。同様に、スレーブ表示装置２０Ｂの裏面側には、紙面に垂直な方向に延びる直線状のレールｄ３が２列設けられており、スレーブ表示装置２０Ｃの表面側には、紙面に垂直な方向に延びる直線状のレールｄ３’が２列設けられている。スレーブ表示装置２０Ｃは、スレーブ表示装置２０Ｂのレールｄ３の長手方向に沿って図１中の矢印Ｒ方向および矢印Ｌ方向に移動することができる。
なお、スレーブ表示装置２０Ａは、マスタ表示装置１０に対して直接的に連結されているから、この連結の仕方を「直接連結」という。一方、スレーブ表示装置２０Ｂ、２０Ｃは、マスタ表示装置１０に対して１又は複数のスレーブ表示装置２０を介して間接的に連結されているから、この連結の仕方を「間接連結」という。
【０００９】
（スレーブ表示装置の開閉）
各々のスレーブ表示装置２０は、上述のように移動することによって、マスタ表示装置１０の下方に納められて閉じた状態になったり、マスタ表示装置１０の下方から引き出されて開いた状態になったりする。
図３は、スレーブ表示装置２０が開閉する様子を示す平面図である。スレーブ表示装置２０を使用しない場合、利用者は、図１に示すように、各々のスレーブ表示装置２０をマスタ表示装置１０の下方に移動させる。このとき、各々のスレーブ表示装置２０は、マスタ表示装置１０と重なる状態となるため、図３（ａ）に示す位置Ｐ０に配置される。このようにスレーブ表示装置２０が閉じられると、表示システム１全体がコンパクトな形状になり、狭いスペースでの使用や持ち運びが容易になる。
【００１０】
一方、スレーブ表示装置２０Ａ〜２０Ｃを使用する場合、利用者は、画像が表示される表示面が見えるように各々のスレーブ表示装置２０を引き出す。例えば、利用者によって図中の矢印Ｒ方向に引き出された場合、スレーブ表示装置２０Ａは、図３（ｂ）に示すように、マスタ表示装置１０の下方の位置Ｐ０からマスタ表示装置１０の隣の位置Ｐ１へと移動する。同様に、スレーブ表示装置２０Ｂは、位置Ｐ０からスレーブ表示装置２０Ａの隣の位置Ｐ２へと移動し、スレーブ表示装置２０Ｃは、位置Ｐ０からスレーブ表示装置２０Ｂの隣の位置Ｐ３へと移動する。また、利用者によって矢印Ｌ方向に引き出された場合、スレーブ表示装置２０Ａは、図３（ｃ）に示すように、マスタ表示装置１０の下方の位置Ｐ０からマスタ表示装置１０の隣の位置Ｐ４へと移動する。同様に、スレーブ表示装置２０Ｂは、位置Ｐ０からスレーブ表示装置２０Ａの隣の位置Ｐ５へと移動し、スレーブ表示装置２０Ｃは、位置Ｐ０からスレーブ表示装置２０Ｂの隣の位置Ｐ６へと移動する。
【００１１】
このように、各表示装置に設けられたレールｄ１〜ｄ３，ｄ１’〜ｄ３’は、一方の表示装置の表示面と他方の表示装置の表示面とが重なる第１の位置（位置Ｐ０）と、一方の表示装置の表示面と他方の表示装置の表示面とが重ならない第２の位置（位置Ｐ１〜Ｐ６）との間を、一方の表示装置又は他方の表示装置が移動可能な状態で、これらを連結する連結手段として機能する。さらに、これらレールｄ１〜ｄ３，ｄ１’〜ｄ３’は、各々のスレーブ表示装置２０が、第１の位置（位置Ｐ０）とマスタ表示装置１０から見て第１の方向（矢印Ｒ方向）にある第２の位置（位置Ｐ１，Ｐ２，Ｐ３）との間、及び、第１の位置（位置Ｐ０）とマスタ表示装置１０から見て第１の方向（矢印Ｒ方向）と反対の第２の方向（矢印Ｌ方向）にある第２の位置（位置Ｐ４，Ｐ５，Ｐ６）との間で移動可能な状態で、各表示装置を連結する。
【００１２】
（マスタ表示装置の構成）
次に、マスタ表示装置１０の構成について説明する。
図４は、マスタ表示装置１０の外観を示す平面図である。マスタ表示装置１０の表面側には、記憶性表示体１１が設けられている。この記憶性表示体１１は、コレステリック液晶や電気泳動などの複数の表示素子が配列された表示面を有しており、これらの表示素子が供給される画像データに応じて駆動されることで、画像データに応じた画像を表示する表示手段である。この記憶性表示体１１は、表示素子が駆動されて画像を表示するまでの駆動期間においては電力が必要であるが、その駆動期間が経過して画像が表示された後は、電力が供給されなくてもその画像を表示し続けることができる。
【００１３】
マスタ表示装置１０の内部の裏面側に近い位置には、送信アンテナ部１２ａ、１２ｂが設けられている。以下の説明において送信アンテナ部１２ａ、１２ｂを特に区別する必要がない場合には、これらを総称して「送信アンテナ部１２」という。送信アンテナ部１２ａは、マスタ表示装置１０において図中の左上に配置されており、送信アンテナ部１２ｂは、マスタ表示装置１０において図中の右下に配置されている。すなわち、送信アンテナ部１２ａと送信アンテナ部１２ｂとは、互いに対角線上に配置されていることになる。送信アンテナ部１２は、図中点線で示しているように、導線が巻き回されてコイル状に形成されたものであり、電磁誘導によって電力を供給するとともに無線でデータを送信する。また、送信アンテナ部１２は、スレーブ表示装置２０が移動可能な方向に長手方向を有する形状であり、その長手方向の長さは、マスタ表示装置１０の幅方向（スレーブ表示装置２０の移動方向）の長さの約半分になっている。この送信アンテナ部１２と後述するＣＰＵ乃至制御回路が、マスタ表示装置１０に直接連結されたスレーブ表示装置２０に対し、電磁誘導によって電力を供給するとともに無線でデータを送信する送信手段として機能する。
【００１４】
マスタ表示装置１０の内部の表面側に近い位置には、受信アンテナ部１３ａ、１３ｂが設けられている。以下の説明において受信アンテナ部１３ａ、１３ｂを特に区別する必要がない場合には、これらを総称して「受信アンテナ部１３」という。受信アンテナ部１３ａは、マスタ表示装置１０において図中の右上に配置されており、受信アンテナ部１３ｂは、マスタ表示装置１０において図中の左下に配置されている。すなわち、受信アンテナ部１３ａと受信アンテナ部１３ｂとは、互いに対角線上に配置されていることになる。受信アンテナ部１３は、図中点線で示しているように、導線が巻き回されてコイル状に形成されたものであり、電磁誘導によって電力の供給を受けるとともに、無線で送信されてきたデータをその電力を用いて受信する。
【００１５】
図５は、マスタ表示装置１０の電気的構成を示すブロック図である。マスタ表示装置１０の内部には、電源１４と、ＣＰＵ（Central Processing Unit）１５と、ＲＯＭ（Read Only Memory）１６と、ＲＡＭ（Random Access Memory）１７と、制御回路１８と、駆動回路１９とが設けられている。電源１４は、電池などを有し、マスタ表示装置１０及びスレーブ表示装置２０の各部に電力を供給する電力供給手段である。ＣＰＵ１５は、ＲＯＭ１６に記憶されているプログラムをＲＡＭ１７に読み出し、このプログラムに従って各種の処理を実行する。ＲＯＭ１６は、ＣＰＵ１５によって用いられるプログラムや各種データを記憶する記憶手段である。ＲＡＭ１７は、揮発性のメモリであり、ＣＰＵ１５のワークエリアとして使用される。ＲＯＭ１６に記憶されているデータには、自装置に割り当てられた装置ＩＤと、画像を表す複数の画像データと、ＩＤ管理テーブルとが含まれている。この画像データには、各々の画像データを識別するためのデータ名が付与されている。また、本実施形態では、マスタ表示装置１０に割り当てられた装置ＩＤとして「０１」がＲＯＭ１６に記憶されているものとする。
【００１６】
図６は、ＲＯＭ１６に記憶されているＩＤ管理テーブルＴの一例を示す図である。このＩＤ管理テーブルＴには、「装置ＩＤ」と「データ名」とが対応付けられている。「装置ＩＤ」は、マスタ表示装置１０又は各々のスレーブ表示装置２０を識別する識別情報である。図の例では、マスタ表示装置１０の装置ＩＤとして、マスタ表示装置１０に割り当てられた「０１」が記述されており、マスタ表示装置１０に直接連結又は間接連結されるスレーブ表示装置２０に割り当て可能な装置ＩＤとして、「０２」、「０３」、「０４」などが記述されている。よって、図の例では、装置ＩＤ「０１」はマスタ表示装置１０自身の自装置識別情報であり、装置ＩＤ「０２」、「０３」、「０４」はマスタ表示装置１０以外のスレーブ表示装置２０の識別情報であるから、他装置識別情報である。「データ名」は、ＲＯＭ１６に記憶されている各々の画像データを識別する名前である。この画像データは、例えば文書画像におけるページ毎の画像を表すデータであり、１ページ目〜４ページ目までの画像データのデータ名が順に、「ｉｍａｇｅ１」、「ｉｍａｇｅ２」、「ｉｍａｇｅ３」、「ｉｍａｇｅ４」となっている。
【００１７】
図の例では、「ｉｍａｇｅ４」という画像データの画像が、装置ＩＤ「０１」が割り当てられたマスタ表示装置１０の表示面に表示されることになる。また、「ｉｍａｇｅ３」という画像データの画像が、装置ＩＤ「０２」が割り当てられたスレーブ表示装置２０の表示面に表示されることになる。同様に、「ｉｍａｇｅ２」という画像データの画像が、装置ＩＤ「０３」が割り当てられたスレーブ表示装置２０の表示面に表示され、「ｉｍａｇｅ１」という画像データの画像が、装置ＩＤ「０４」が割り当てられたスレーブ表示装置２０の表示面に表示されることになる。ＣＰＵ１５は、マスタ表示装置１０に直接連結又は間接連結されるスレーブ表示装置２０に対して、各々のスレーブ表示装置２０を識別する装置ＩＤという識別情報を割り当て、各装置ＩＤと画像データとをＩＤ管理テーブルＴを用いて対応付ける割当手段として機能する。
【００１８】
図５に示した制御回路１８は、駆動制御回路３１と、タッチセンサ３２と、Ａ／Ｄコンバータ３３と、スレーブ信号回路３４とを備えている。駆動制御回路３１は、電源１４の制御や、画像データやコマンドなど各種データの授受の制御などを行う。この駆動制御回路３１には、自装置に割り当てられた装置ＩＤなどが記憶されるＲＡＭ３５が設けられている。タッチセンサ３２は、記憶性表示体１１上に設けられた図示せぬタッチパネルがスタイラスペンなどで接触されたときに、その接触位置を検出して位置信号を出力する。つまり、タッチセンサ３２は、利用者の操作内容を検出する手段として機能する。Ａ／Ｄコンバータ３３は、タッチセンサ３２から出力された位置信号をアナログデジタル変換して位置情報を生成し、生成した位置情報を駆動制御回路３１に供給する。スレーブ信号回路３４は、スレーブ表示装置２０からスレーブ信号が供給されると、そのスレーブ信号を受信アンテナ部１３によって受信し、ＣＰＵ１５に供給する。駆動回路１９は、電源１４から供給される電力を用いて、駆動制御回路３１から供給される画像データに応じて記憶性表示体１１の表示素子を駆動し、その画像データに応じた画像を記憶性表示体１１に表示させる第１の表示制御手段である。
【００１９】
（スレーブ表示装置の構成）
次に、スレーブ表示装置２０の構成について説明する。
図７は、スレーブ表示装置２０Ａ〜２０Ｃの外観を示す平面図である。スレーブ表示装置２０Ａには、記憶性表示体２１Ａと、送信アンテナ部２２ａ、２２ｂと、受信アンテナ部２３ａ、２３ｂとが設けられている。この送信アンテナ部２２ａ、２２ｂおよび受信アンテナ部２３ａ、２３ｂの配置は、それぞれ上述したマスタ表示装置１０の送信アンテナ部１２ａ、１２ｂおよび受信アンテナ部１３ａ、１３ｂと同様である。また、スレーブ表示装置２０Ｂには、記憶性表示体２１Ｂと、送信アンテナ部２２ｃ、２２ｄと、受信アンテナ部２３ｃ、２３ｄとが設けられている。この送信アンテナ部２２ｃ、２２ｄおよび受信アンテナ部２３ｃ、２３ｄの配置は、それぞれ上述したマスタ表示装置１０の送信アンテナ部１２ａ、１２ｂおよび受信アンテナ部１３ａ、１３ｂと同様である。そして、スレーブ表示装置２０Ｃには、記憶性表示体２１Ｃと、送信アンテナ部２２ｅ、２２ｆと、受信アンテナ部２３ｅ、２３ｆとが設けられている。送信アンテナ部２２ｅ、２２ｆおよび受信アンテナ部２３ｅ、２３ｆの配置は、それぞれ上述したマスタ表示装置１０の送信アンテナ部１２ａ、１２ｂおよび受信アンテナ部１３ａ、１３ｂと同様である。
【００２０】
なお、以下の説明において、記憶性表示体２１Ａ〜２１Ｃを特に区別する必要がない場合には、これらを総称して「記憶性表示体２１」という。同様に、送信アンテナ部２２ａ〜２２ｆを特に区別する必要がない場合には、これらを総称して「送信アンテナ部２２」といい、受信アンテナ部２３ａ〜２３ｆを特に区別する必要がない場合には、これらを総称して「受信アンテナ部２３」という。スレーブ表示装置２０の記憶性表示体２１、送信アンテナ部２２、受信アンテナ部２３の構成は、それぞれ上述したマスタ表示装置１０の記憶性表示体１１、送信アンテナ部１２、受信アンテナ部１３と同様である。
以上に説明したスレーブ表示装置２０の受信アンテナ部２３及び送信アンテナ部２２と、後述する制御回路が、電磁誘導によって電力の供給を受けるとともに無線で送信されてきたデータを受信し、電磁誘導によって電力を供給するとともに無線でデータを送信する送受信手段として機能する。
【００２１】
図８は、スレーブ表示装置２０Ａの電気的構成を示すブロック図である。スレーブ表示装置２０Ａ〜２０Ｃは、それぞれ同様の構成を備えているため、ここではスレーブ表示装置２０Ａの構成を例に挙げて説明する。スレーブ表示装置２０Ａは、制御回路２４Ａと、駆動回路２５Ａとを備えている。制御回路２４Ａは、上述したマスタ表示装置１０の制御回路１８と同様に、駆動制御回路４１Ａと、タッチセンサ４２Ａと、Ａ／Ｄコンバータ４３Ａと、スレーブ信号回路４４Ａとを備えている。このタッチセンサ４２Ａ、Ａ／Ｄコンバータ４３Ａ、駆動回路２５Ａの構成はそれぞれ、上述したマスタ表示装置１０のタッチセンサ３２、Ａ／Ｄコンバータ３３、駆動回路１９と同様である。つまり、駆動回路２５Ａは、受信アンテナ部２３が受け取った電力を用いて、駆動制御回路４１Ａから供給される画像データに応じて記憶性表示体２１Ａの表示素子を駆動し、その画像データに応じた画像を記憶性表示体２１Ａに表示させる第２の表示制御手段として機能する。
【００２２】
駆動制御回路４１Ａは、画像データやコマンドなど各種データの授受の制御などを行う。この駆動制御回路４１Ａには、自装置に割り当てられた装置ＩＤが記憶されるＲＡＭ４５Ａが設けられている。スレーブ信号回路４４Ａは、受信アンテナ部２３から電力が供給されたときにスレーブ信号を出力する。また、このスレーブ信号回路４４Ａは、自装置に連結されたスレーブ表示装置２０Ｂからスレーブ信号が送信されてくると、自装置が連結されたマスタ表示装置１０にそのスレーブ信号を転送する。このとき、スレーブ信号回路４４Ａは、スレーブ表示装置２０Ｂから送信されてきたスレーブ信号と、自回路から出力されるスレーブ信号のタイミングが同じ場合には、スレーブ表示装置２０Ｂから送信されてきたスレーブ信号のタイミングを遅らせて出力する。
【００２３】
なお、以下の説明では、スレーブ表示装置２０Ｂの電気的構成については、図８に示した「Ａ」という符号に代えて「Ｂ」という符号を付して説明する。同様に、スレーブ表示装置２０Ｃの電気的構成については、図８に示した「Ａ」という符号に代えて「Ｃ」という符号を付して説明する。また、各々の電気的構成を特に区別する必要がない場合には、「Ａ」、「Ｂ」、「Ｃ」という符号の記載を省略して説明する。
【００２４】
（電力及びデータの授受）
次に、マスタ表示装置１０とスレーブ表示装置２０との間の電力及びデータの授受について説明する。この表示システム１においては、各々のスレーブ表示装置２０が開かれた状態のときに電力及びデータの授受が行われるようになっている。スレーブ表示装置２０が開かれた状態とは、各スレーブ表示装置２０の表示面が他の表示装置の表示面と重ならない位置、つまり前述した第２の位置へとスレーブ表示装置２０が移動させられた場合のことである。一方、各々のスレーブ表示装置２０が図１に示したようにマスタ表示装置１０と重ねた状態で配置されているときには、電力及びデータの授受は行われず、スレーブ表示装置２０は動作しない。ここでは、各々のスレーブ表示装置２０が図３中の矢印Ｒ方向に引き出された場合を例に挙げて、電力及びデータの授受について説明する。
【００２５】
図９は、各々のスレーブ表示装置２０が図３中の矢印Ｒ方向に引き出されたときの様子を示す平面図である。また、図１０は、図９に示した表示システム１を図中の矢印II方向から見たときの側面図である。この場合、スレーブ表示装置２０Ａの受信アンテナ部２３ｂは、マスタ表示装置１０の送信アンテナ部１２ｂと重なった状態になり、電磁誘導が可能となる。したがって、受信アンテナ部２３ｂは、送信アンテナ部１２ｂから電力及びデータを受け取ることができる。また、スレーブ表示装置２０Ｂの受信アンテナ部２３ｄは、スレーブ表示装置２０Ａの送信アンテナ部２２ｂと重なった状態になり電磁誘導が可能となるため、その送信アンテナ部２２ｂから電力及びデータを受け取ることができる。同様に、スレーブ表示装置２０Ｃの受信アンテナ部２３ｆは、スレーブ表示装置２０Ｂの送信アンテナ部２２ｄと重なった状態になり電磁誘導が可能となるため、その送信アンテナ部２２ｄから電力及びデータを受け取ることができる。
【００２６】
すなわち、各々のスレーブ表示装置２０が開いた状態になったときには、マスタ表示装置１０とスレーブ表示装置２０Ａ、スレーブ表示装置２０Ａとスレーブ表示装置２０Ｂ、スレーブ表示装置２０Ｂとスレーブ表示装置２０Ｃとが電気的に接続されることになる。したがって、マスタ表示装置１０の送信アンテナ部１２は、スレーブ表示装置２０の表示面が露出する、開いた状態となる位置に移動させられたときに、そのスレーブ表示装置２０に電力を供給し、そのスレーブ表示装置２０宛にデータを送信することができる。同様に、互いに隣り合う２つのスレーブ表示装置２０の間では、マスタ表示装置１０に近い方のスレーブ表示装置２０の送信アンテナ部２２は、マスタ表示装置１０に遠い方のスレーブ表示装置２０が開いた状態となる位置に移動させられたときに、そのスレーブ表示装置２０に電力を供給し、そのスレーブ表示装置２０宛にデータを送信することができる。各々のスレーブ表示装置２０が図１中の矢印Ｌ方向に引き出された場合にも、上述と同様の仕組みで電力及びデータの授受が行われる。一方、各表示装置の表示面が全て重なっているとき、つまり各スレーブ表示装置２０が前述した第１の位置へと移動させられているときには、マスタ表示装置１０とスレーブ表示装置２０の各々の送信アンテナ部２２と受信アンテナ部２３とが重ならないので、電磁誘導による電力及びデータの授受は行われない。
【００２７】
［動作］
次に、表示システム１の動作について説明する。ここでは、まずスレーブ表示装置２０が連結されたときに行われる装置ＩＤ割当処理について説明してから、各々のスレーブ表示装置２０に画像を表示させる表示処理について説明する。
【００２８】
（装置ＩＤ割当処理）
図１１は、スレーブ表示装置２０が連結されたときに行われる装置ＩＤ割当処理を示すシーケンス図である。本実施形態では、利用者がスレーブ表示装置２０Ａ〜２０Ｃを図９に示したように連結した場合を例に挙げて説明する。利用者によって連結されると、上述したように、マスタ表示装置１０とスレーブ表示装置２０Ａ、スレーブ表示装置２０Ａとスレーブ表示装置２０Ｂ、スレーブ表示装置２０Ｂとスレーブ表示装置２０Ｃとが電気的に接続される。このとき、マスタ表示装置１０の電源１４から供給される電力は、マスタ表示装置１０の各部に供給されるとともに、マスタ表示装置１０の送信アンテナ部１２ｂからスレーブ表示装置２０Ａの受信アンテナ部２３ｂへと供給される。
【００２９】
スレーブ表示装置２０Ａの受信アンテナ部２３ｂに供給された電力は、スレーブ表示装置２０Ａの送信アンテナ部２２ｂからスレーブ表示装置２０Ｂの受信アンテナ部２３ｄ、スレーブ表示装置２０Ｂの送信アンテナ部２２ｄからスレーブ表示装置２０Ｃの受信アンテナ部２３ｆへと順に供給されていく。各々のスレーブ表示装置２０の受信アンテナ部２３によって受け取られた電力は、そのスレーブ表示装置２０の各部に供給される。以後、スレーブ表示装置２０の各部、すなわち記憶性表示体２１、送信アンテナ部２２、受信アンテナ部２３、制御回路２４及び駆動回路２５は、受信アンテナ部２３に供給された電力を用いて動作する。
【００３０】
電力が供給されると、スレーブ表示装置２０のスレーブ信号回路４４Ａ〜４４Ｃは、それぞれ１発の矩形パルス信号をスレーブ信号として出力する（ステップＳＡ１０）。このとき、スレーブ表示装置２０Ａのスレーブ信号回路４４Ａから出力されたスレーブ信号は、送信アンテナ部２２ａからマスタ表示装置１０の受信アンテナ部１３ａへと送信される。また、スレーブ表示装置２０Ｂのスレーブ信号回路４４Ｂから出力されたスレーブ信号は、スレーブ表示装置２０Ａのスレーブ信号回路４４Ａを介して、マスタ表示装置１０の受信アンテナ部１３ａへと転送される。そして、スレーブ表示装置２０Ｃのスレーブ信号回路４４Ｃから出力されたスレーブ信号は、スレーブ表示装置２０Ｂのスレーブ信号回路４４Ｂおよびスレーブ表示装置２０Ａのスレーブ信号回路４４Ａを介して、マスタ表示装置１０の受信アンテナ部１３ａへと送信される。このとき、スレーブ信号回路４４Ａ〜４４Ｃは、自装置に連結されたスレーブ表示装置２０から送信されてきたスレーブ信号と、自回路から出力されるスレーブ信号のタイミングが同じ場合には、送信されてきたスレーブ信号のタイミングを遅らせて出力する。これにより、マスタ表示装置１０の受信アンテナ部１３ａには、合計３発の矩形パルス信号がスレーブ信号として送られてくる。
【００３１】
スレーブ信号が送られてくると、マスタ表示装置１０の受信アンテナ部１３ａは、そのスレーブ信号を受信し（ステップＳＡ２０）、受信したスレーブ信号をスレーブ信号回路３４に供給する。スレーブ信号回路３４は、このスレーブ信号をＣＰＵ１５に供給する。スレーブ信号が供給されると、マスタ表示装置１０のＣＰＵ１５は、ＲＯＭ１６に記憶されているＩＤ管理テーブルＴを参照して、スレーブ表示装置２０Ａ〜２０Ｃに対して、各々スレーブ表示装置２０を識別する装置ＩＤを割り当てる（ステップＳＡ３０）。具体的に説明すると、ＣＰＵ１５は、まずＩＤ管理テーブルＴにおいてスレーブ表示装置２０に割り当て可能な装置ＩＤを、スレーブ信号の矩形パルス信号の数だけ読み出す。続いて、ＣＰＵ１５は、読み出した装置ＩＤを順に並べて、送信アンテナ部１２から送信させる。すなわち、マスタ表示装置１０のＣＰＵ１５と送信アンテナ部１２とは協働して、自装置に直接連結または間接連結されたスレーブ表示装置２０に対して、各々のスレーブ表示装置２０を識別する装置ＩＤを順に並べて送信することになる。この例では、合計３発の矩形パルス信号がスレーブ信号として供給されるため、図６に示したＩＤ管理テーブルＴから「０２」、「０３」、「０４」の３つの装置ＩＤが読み出されて、この順番に並べて送信される。
【００３２】
マスタ表示装置１０の送信アンテナ部１２ｂから装置ＩＤが送信されると、スレーブ表示装置２０Ａの受信アンテナ部２３ｂは、この装置ＩＤを受信して、駆動制御回路４１Ａに供給する。駆動制御回路４１Ａは、供給された装置ＩＤのうち先頭の装置ＩＤを取得し、ＲＡＭ４５Ａに記憶させる。この例では、装置ＩＤが「０２」、「０３」、「０４」の順番に並べて送信されてくるため、先頭の装置ＩＤである「０２」が取得されてＲＡＭ４５Ａに記憶される。続いて、駆動制御回路４１Ａは、供給された装置ＩＤのうち、取得した装置ＩＤ以外の装置ＩＤを送信アンテナ部２２から送信させる。この例では、「０２」を除いた「０３」、「０４」の２つの装置ＩＤがこの順番に並べて送信される。
【００３３】
スレーブ表示装置２０Ａの送信アンテナ部２２ｂから装置ＩＤが送信されると、スレーブ表示装置２０Ｂの受信アンテナ部２３ｄは、この装置ＩＤを受信して、駆動制御回路４１Ｂに供給する。駆動制御回路４１Ｂは、上述した駆動制御回路４１Ａと同様にして、供給された装置ＩＤのうち先頭の装置ＩＤを取得してＲＡＭ４５Ｂに記憶させた後、取得した装置ＩＤ以外の装置ＩＤを送信アンテナ部２２から送信させる。この例では、装置ＩＤが「０３」、「０４」が順番に並べて送信されてくるため、先頭の装置ＩＤである「０３」が取得されてＲＡＭ４５Ｂに記憶されてから、「０３」を除いた「０４」の装置ＩＤが送信される。
【００３４】
スレーブ表示装置２０Ｂの送信アンテナ部２２ｄから装置ＩＤが送信されると、スレーブ表示装置２０Ｃの受信アンテナ部２３ｆは、この装置ＩＤを受信して、駆動制御回路４１Ｃに供給する。駆動制御回路４１Ｃは、上述した駆動制御回路４１Ａと同様にして、供給された装置ＩＤのうち先頭の装置ＩＤを取得し、ＲＡＭ４５Ｃに記憶させる。この例では、装置ＩＤとして「０４」のみが送信されてくるため、この「０４」が取得されてＲＡＭ４５Ｃに記憶される。なお、駆動制御回路４１Ｃには、１つの装置ＩＤしか供給されないため、装置ＩＤの転送を行う必要はない。
【００３５】
このようにして、スレーブ表示装置２０の駆動制御回路４１Ａ〜４１Ｃは、送信されてきた装置ＩＤのうちその並び順番が先頭である装置ＩＤを取得し（ステップＳＡ４０）、取得した装置ＩＤ以外の装置ＩＤを自装置に連結されたスレーブ表示装置２０に供給する。つまり、スレーブ表示装置２０は、送信されてきた装置ＩＤのうち、自装置に対応した順序で送信されてきた装置ＩＤを取得し、取得した装置ＩＤ以外の装置ＩＤを自装置に連結された他のスレーブ表示装置２０に送信することになる。続いて、駆動制御回路４１Ａ〜４１Ｃはそれぞれ、装置ＩＤの送信が正常に行われたことを表すＡＣＫ信号を返信する（ステップＳＡ５０）。駆動制御回路４１Ａ〜４１Ｃから返信されたＡＣＫ信号はそれぞれ、マスタ表示装置１０の受信アンテナ部１３ａへと送られる。
【００３６】
図１２は、上述したステップＳＡ３０〜５０におけるマスタ表示装置１０及びスレーブ表示装置２０の動作を時系列に説明するためのタイミングチャートである。マスタ表示装置１０のＣＰＵ１５は、スレーブ信号が供給されると、クロック信号ＣＬＫをカウントすることで特定した期間ｔａ１において装置ＩＤを送信する。マスタ表示装置１０から送信されてきた装置ＩＤを取得すると、スレーブ表示装置２０の駆動制御回路４１Ａ〜４１Ｃは、それぞれ期間ｔａ２においてＡＣＫ信号を出力する。
【００３７】
再び図１１に戻り、ＡＣＫ信号が送られてくると、マスタ表示装置１０の受信アンテナ部１３ａは、このＡＣＫ信号を受信し（ステップＳＡ６０）、ＣＰＵ１５に供給する。ＣＰＵ１５は、供給されたＡＣＫ信号に基づいて、割り当てられている装置ＩＤをＩＤ管理テーブルに登録する（ステップＳＡ７０）。具体的に説明すると、ＣＰＵ１５は、まずＲＯＭ１６に記憶されているＩＤ管理テーブルをＲＡＭ１７に読み出す。続いて、ＣＰＵ１５は、そのＩＤ管理テーブルからＲＯＭ１６に記憶されている装置ＩＤ、すなわち自装置に割り当てられた装置ＩＤを含むレコードと、ステップＳＡ３０において割り当てた装置ＩＤを含むレコードとを抽出し、それらを結合する。この例では、図６に示したＩＤ管理テーブルＴから「０１」、「０２」、「０３」、「０４」を含むレコードが抽出されて結合される。このように、割り当てられている装置ＩＤをＲＡＭ１７上のＩＤ管理テーブルに登録しておくことにより、ＣＰＵ１５は、データの授受に使用する装置ＩＤを把握することができる。さらに、ＣＰＵ１５は、このＲＡＭ１７上のＩＤ管理テーブルＴに記述されている装置ＩＤの数に基づいて、スレーブ表示装置２０がいくつ連結されているかなども把握することができる。
【００３８】
（表示処理）
次に、各々のスレーブ表示装置２０に画像を表示させる表示処理について説明する。
図１３は、この表示処理を示すシーケンス図である。まず、マスタ表示装置１０のＣＰＵ１５は、上述したステップＳＡ７０において装置ＩＤが登録されたＩＤ管理テーブルＴにおいて、自装置に割り当てられた装置ＩＤ以外の装置ＩＤを読み出す。続いて、ＣＰＵ１５は、読み出した装置ＩＤを送信アンテナ部１２から送信させる（ステップＳＢ１０）。この例では、図６に示したＩＤ管理テーブルと類するＩＤ管理テーブルから、マスタ表示装置１０に割り当てられた装置ＩＤである「０１」を除いた「０２」、「０３」、「０４」の３つの装置ＩＤが読み出されて、送信される。
【００３９】
マスタ表示装置１０の送信アンテナ部１２ｂから送信された装置ＩＤは、上述と同様の手順で、スレーブ表示装置２０Ａ、２０Ｂ、２０Ｃへと順に送られていく。スレーブ表示装置２０の駆動制御回路４１Ａ〜４１Ｃはそれぞれ、送信されてきた装置ＩＤを取得すると、これらの装置ＩＤの中にＲＡＭ４５に記憶されている装置ＩＤと一致する装置ＩＤがあるか否かを判定し、一致する装置ＩＤがある場合にはＡＣＫ信号を返信する（ステップＳＢ２０）。各々の駆動制御回路４１から返信されたＡＣＫ信号は、マスタ表示装置１０の受信アンテナ部１３ａへと送られる。
【００４０】
ＡＣＫ信号が送られてくると、マスタ表示装置１０の受信アンテナ部１３ａは、このＡＣＫ信号を受信し（ステップＳＢ３０）、ＣＰＵ１５に供給する。ＡＣＫ信号が供給されると、ＣＰＵ１５は、まずステップＳＢ１０において送信した全ての装置ＩＤに応じてＡＣＫ信号が返信されたか否かを判定する（ステップＳＢ４０）。仮に、装置ＩＤ「０４」に応じたＡＣＫ信号が返信されなかった場合には（ステップＳＢ４０：ＮＯ）、その装置ＩＤを記憶したスレーブ表示装置２０が取り外されたと判断し、ＲＡＭ１７のＩＤ管理テーブルから「０４」を含むレコードを削除する（ステップＳＢ５０）。一方、ステップＳＢ１０において送信した全ての装置ＩＤに応じてＡＣＫ信号が返信された場合（ステップＳＢ４０：ＹＥＳ）、ＣＰＵ１５は、次の処理に進む。
【００４１】
続いて、ＣＰＵ１５は、ＲＡＭ１７に記憶されているＩＤ管理テーブルにおいて、自装置に割り当てられた装置ＩＤに対応付けられたデータ名を特定する。続いて、ＣＰＵ１５は、特定したデータ名の画像データをＲＯＭ１６から読み出して、駆動回路１９に供給する。この例では、図６に示したＩＤ管理テーブルＴと類するＩＤ管理テーブルにおいて、「０１」に対応付けられたデータ名「ｉｍａｇｅ４」が特定される。そして、データ名が「ｉｍａｇｅ４」である画像データがＲＯＭ１６から読み出されて、駆動回路１９に供給される。駆動回路１９は、供給された画像データに基づいて記憶性表示体１１の表示素子を駆動させ、その画像データに応じた画像を記憶性表示体１１に表示させる（ステップＳＢ６０）。これにより、マスタ表示装置１０の記憶性表示体１１には、「ｉｍａｇｅ４」という画像データに応じた４ページ目の画像が表示される。
【００４２】
続いて、ＣＰＵ１５は、ＲＡＭ１７に記憶されているＩＤ管理テーブルを参照して、各々のスレーブ表示装置２０に画像データを送信する（ステップＳＢ７０）。具体的に説明すると、ＣＰＵ１５は、まずＩＤ管理テーブルにおいて、自装置に割り当てられた装置ＩＤ以外の装置ＩＤに対応付けられたデータ名を特定し、特定したデータ名の画像データをＲＯＭ１６から読み出す。この例では、図６に示したＩＤ管理テーブルＴと類するＩＤ管理テーブルにおいて、マスタ表示装置１０に割り当てられた装置ＩＤである「０１」以外の装置ＩＤ「０２」、「０３」、「０４」に対応付けられた「ｉｍａｇｅ３」、「ｉｍａｇｅ２」、「ｉｍａｇｅ１」というデータ名がそれぞれ特定され、特定されたデータ名の画像データが読み出される。続いて、ＣＰＵ１５は、それらの各装置ＩＤを含む送信コマンドと、その装置ＩＤに対応付けられたデータ名の画像データとを対応付けて送信アンテナ部１２から送信させる。この例では、装置ＩＤ「０２」を含む送信コマンドと「ｉｍａｇｅ３」という画像データとが対応付けて送信され、装置ＩＤ「０３」を含む送信コマンドと「ｉｍａｇｅ２」という画像データとが対応付けて送信され、装置ＩＤ「０４」を含む送信コマンドと「ｉｍａｇｅ１」という画像データとが対応付けて送信される。上述したように、マスタ表示装置１０送信アンテナ部１２からは電力の供給が行われているので、マスタ表示装置１０のＣＰＵ１５及び送信アンテナ部１２は協働して、自装置に直接連結されたスレーブ表示装置２０に電力を供給し、上述したステップＳＡ３０において割り当てた装置ＩＤによって識別されるスレーブ表示装置２０を宛先として、その装置ＩＤに対応付けられた画像データを送信することになる。
【００４３】
マスタ表示装置１０の送信アンテナ部１２ｂから送信された送信コマンド及び画像データは、上述の装置ＩＤの送信と同様の手順で、スレーブ表示装置２０Ａ、２０Ｂ、２０Ｃへと順に送られていく。スレーブ表示装置２０の駆動制御回路４１Ａ〜４１Ｃはそれぞれ、送信されてきた画像データのうち、ＲＡＭ４５に記憶されている自装置の装置ＩＤを含む送信コマンドに対応付けられた画像データを選択して受信する（ステップＳＢ８０）。この例では、スレーブ表示装置２０ＡのＲＡＭ４５Ａには装置ＩＤとして「０２」が記憶されている。したがって、スレーブ表示装置２０Ａの駆動制御回路４１Ａは、送信されてきた画像データのうち、「０２」を含む送信コマンドに対応付けられた「Ｉｍａｇｅ３」という画像データを取得する。同様に、スレーブ表示装置２０ＢのＲＡＭ４５Ｂには装置ＩＤとして「０３」が記憶されてため、駆動制御回路４１Ｂは、送信されてきた画像データのうち、「０３」を含む送信コマンドに対応付けられた「Ｉｍａｇｅ２」という画像データを取得する。また、スレーブ表示装置２０ＣのＲＡＭ４５Ｃには装置ＩＤとして「０４」が記憶されてため、駆動制御回路４１Ｃは、送信されてきた画像データのうち、「０４」を含む送信コマンドに対応付けられた「Ｉｍａｇｅ１」という画像データを取得する。上述したように、駆動制御回路４１Ａ〜４１Ｃはそれぞれ、マスタ表示装置１０の送信アンテナ部１２から供給された電力を用いて動作している。したがって、各々のスレーブ表示装置２０の駆動制御回路４１は、マスタ表示装置１０の送信アンテナ部１２から供給された電力を受け取り、受け取った電力を用いて、送信アンテナ部１２から自装置を宛先として送られてくるデータを受信することになる。
【００４４】
続いて、駆動制御回路４１Ａ〜４１Ｃは、それぞれ取得した画像データを駆動回路２５に供給する。駆動回路２５Ａ〜２５Ｃは、それぞれ供給された画像データに基づいて自回路と接続された記憶性表示体２１の表示素子を駆動させ、その画像データに応じた画像をその記憶性表示体２１に表示させる（ステップＳＢ９０）。上述したように、駆動回路２５Ａ〜２５Ｃはそれぞれ、マスタ表示装置１０の送信アンテナ部１２から供給された電力を用いて動作している。したがって、各々のスレーブ表示装置２０の駆動回路２５は、受信アンテナ部２３が受け取った電力を用いて記憶性表示体２１の表示素子を駆動し、受信アンテナ部２３によって受信された画像データに応じた画像を記憶性表示体２１に表示させることになる。これにより、スレーブ表示装置２０Ａの記憶性表示体２１Ａには、「ｉｍａｇｅ３」という画像データに応じた３ページ目の画像が表示される。また、スレーブ表示装置２０Ｂの記憶性表示体２１Ｂには、「ｉｍａｇｅ２」という画像データに応じた２ページ目の画像が表示され、スレーブ表示装置２０Ｃの記憶性表示体２１Ｃには、「ｉｍａｇｅ１」という画像データに応じた１ページ目の画像が表示される。
【００４５】
図１４は、上述したステップＳＢ１０〜７０におけるマスタ表示装置１０及びスレーブ表示装置２０の動作を時系列に説明するためのタイミングチャートである。マスタ表示装置１０のＣＰＵ１５は、クロック信号ＣＬＫをカウントすることで特定した期間ｔｂ１において装置ＩＤを送信する。マスタ表示装置１０から装置ＩＤが送信されてくると、スレーブ表示装置２０の駆動制御回路４１Ａ〜４１Ｃは、それぞれ期間ｔｂ２においてＡＣＫ信号を出力する。そして、マスタ表示装置１０のＣＰＵ１５は、ステップＳＢ３０〜６０の処理を行った後、期間ｔｂ３において送信コマンドを送信し、続いて期間ｔｂ４において対応する画像データを送信する。
【００４６】
以上説明した実施形態によれば、互いに着脱可能なマスタ表示装置１０及び複数のスレーブ表示装置２０の各々において、文書の各ページのページ順に従って画像を順序よく表示させることができる。
また、マスタ表示装置１０には、電力供給手段として電源や、画像データの記憶手段としてのＲＯＭや、装置ＩＤの割り当てて画像データとの対応付ける割り当て手段としてのＣＰＵといった各構成が実装されているのに対し、スレーブ表示装置２０にはこれらの構成が実装されていない。さらに、マスタ表示装置１０及び複数のスレーブ表示装置２０の表示手段となる記憶性表示体１１は、電力供給が無くても、画像を表示し続けることができるので、マスタ表示装置１０が備える電源として、省電力に見あった小型のものを採用することができる。よって、マスタ表示装置１０及び複数のスレーブ表示装置２０からなるシステム全体では構成が簡易になり、軽量化に寄与する。
また、各々のスレーブ表示装置２０がマスタ表示装置１０の下方から引き出されたとき、つまり、利用者が各スレーブ表示装置２０の表示面を参照しようとしたときに、マスタ表示装置１０と各スレーブ表示装置２０とが電気的に接続されるから、効率のよい電力消費を実現できる。さらに、この電気的接続は電磁誘導を利用したものであるから、利用者は、各表示装置のレール同士を噛み合わせて物理的に連結させるという作業だけ行えばよい。
さらに、上述した実施形態では、マスタ表示装置１０の送信アンテナ部１２の長手方向の長さが、マスタ表示装置１０の幅方向の長さの約半分になっているため、スレーブ表示装置２０が図３中の矢印Ｒ方向又は矢印Ｌ方向のどちらに引き出されても、スレーブ表示装置２０に確実に電力とデータを供給することができる。
【００４７】
［変形例］
以上が実施形態の説明であるが、この実施形態の内容は以下のように変形し得る。また、以下の変形例を適宜組み合わせてもよい。
（変形例１）
上述した実施形態では、マスタ表示装置１０とスレーブ表示装置２０との間で行われるデータの授受の一例として、マスタ表示装置１０から各々のスレーブ表示装置２０に画像データを送信する例を挙げて説明したが、これに限らない。例えば、スレーブ表示装置２０のタッチパネルが接触されたときに、スレーブ表示装置２０からマスタ表示装置１０にその接触位置を表す位置情報が送信されてもよい。この場合、マスタ表示装置１０のＣＰＵ１５は、位置情報を要求する要求コマンドを送信する。要求コマンドが送信されてくると、スレーブ表示装置２０の駆動制御回路４１は、その要求コマンドによって要求された位置情報をＲＡＭ４５から読み出して、マスタ表示装置１０に返信する。これにより、マスタ表示装置１０は、スレーブ表示装置２０に記憶されているデータを取得することができる。
【００４８】
（変形例２）
上述した実施形態において、マスタ表示装置１０とスレーブ表示装置２０とは、非接触で電力及びデータの授受を行っていたが、例えばお互いが導電端子を備えておき、これらを接触させて電力及びデータの授受を行ってもよい。この導電端子も、表示装置が移動可能な方向に長手方向を有する形状であることが望ましい。
また、マスタ表示装置１０とスレーブ表示装置２０とを複数の導線が束ねられたフラットケーブルなどで接続し、有線で電力及びデータの授受が行われてもよい。この場合、利用者は、スレーブ表示装置２０を連結するときに、このフラットケーブルの接続を行う必要がある。
【００４９】
（変形例３）
上述した実施形態において、スレーブ表示装置２０の駆動制御回路４１Ａ〜４１Ｃは、それぞれ送信されてきた装置ＩＤのうち先頭の装置ＩＤを取得していたが、これに限らない。例えば、駆動制御回路４１は、送信されてきた装置ＩＤのうち一番後ろの装置ＩＤを取得してもよい。要するに、駆動制御回路４１は、送信されてきた装置ＩＤのうち、その並び順が所定の順番である装置ＩＤを取得すればよい。また、並び順に従って取得するのではなく、装置ＩＤの数値が最も小さいもの或いは最も大きいものから順に取得してもよい。つまり、装置ＩＤの値そのものの順序に従って取得するようにしてもよい。
【００５０】
（変形例４）
上述した実施形態において、マスタ表示装置１０のＣＰＵ１５は、装置ＩＤや画像データを送信するときに、送信アンテナ部１２ａ、１２ｂの両方にこれらのデータを供給していたがこれに限らない。例えば、ＣＰＵ１５は、送信アンテナ部１２のインダクタンスの変化に基づいて、どちらの送信アンテナ部１２がスレーブ表示装置２０Ａの受信アンテナ部２３と通信可能かを判定し、通信が可能な方の送信アンテナ部１２のみにデータを供給してもよい。
【００５１】
（変形例５）
上述した実施形態において、マスタ表示装置１０のＣＰＵ１５による処理は、プログラムに従って行われていた。これに対し、マスタ表示装置１０にハードウェア回路を設け、このハードウェア回路がＣＰＵ１５に代わって上述した処理を行ってもよい。また、ＣＰＵ１５とハードウェア回路とが分担して、上述した処理を行ってもよい。
【００５２】
（変形例６）
上述した実施形態では、スレーブ表示装置２０が３台設けられている例を挙げて説明したが、スレーブ表示装置２０の数は３台に限らない。スレーブ表示装置２０の数は、２台であってもよいし、４台以上であってもよい。
【００５３】
（変形例７）
上述した実施形態では、図３（ｂ）や図３（ｃ）に示したように、スレーブ表示装置２０の表示面がマスタ表示装置１０又は他のスレーブ表示装置２０と完全に重なっていない状態を例に挙げて、スレーブ表示装置２０が開かれた状態を説明したが、これに限らない。例えば、スレーブ表示装置２０の表示面が半分だけ他の表示装置と重なった状態であってもよい。図１０に示すように、送信アンテナ部１２、２２はスレーブ表示装置２０の移動方向に延びているため、スレーブ表示装置２０が完全に開かれた状態にならなくても、スレーブ表示装置２０の受信アンテナ部２３とマスタ表示装置１０の送信アンテナ部１２または他のスレーブ表示装置２０の送信アンテナ部２２とが重なる状態になる。この場合には、スレーブ表示装置２０は上述した実施形態の処理を行うことができるため、スレーブ表示装置２０が完全に開かれた状態でなくてもよいのである。本発明の「第２の位置」とは、このような位置をも含むものである。このように、スレーブ表示装置２０が、図３（ｂ）や図３（ｃ）に示したように、完全に引き出されていないうちに、上述した実施形態の処理が開始されることにより、スレーブ表示装置２０が引き出されてから記憶性表示体２１に画像が表示されるまでの時間を短くすることができる。
【００５４】
（変形例８）
上述した実施形態において、マスタ表示装置１０は、画像データが表す文書画像の内容に適したスレーブ表示装置２０の開き方向を利用者に報知してもよい。この場合、マスタ表示装置１０のＲＯＭ１６に記憶される画像データには、その画像データが表す文章画像を読む方向を指定する指定情報が含まれている。この文章画像を読む方向は、文章を作成した文書作成者が決めてもよいし、文章が縦書きか横書きかなどに応じて文書作成プログラムが決めてもよい。また、マスタ表示装置１０には、スレーブ表示装置２０の開き方向を画像や光あるいは音声などで利用者に報知する報知手段が設けられる。そして、マスタ表示装置１０のＣＰＵ１５は、表示する文章画像が利用者によって指定されると、その文章画像の画像データに含まれる指定情報に基づいて、その文書画像を読む方向を判別し、判別した方向をスレーブ表示装置２０の開き方向として特定する。そして、ＣＰＵ１５は、特定したスレーブ表示装置２０の開き方向を報知手段によって利用者に報知する。報知手段が開き方向を報知する方法としては、例えば、開き方向を案内する画像を表示したり、開き方向を案内するように発光したり、あるいは開き方向を案内する音声を放音したりする方法が考えられる。これにより、利用者は、文書画像の内容に適した方向にスレーブ表示装置２０を引き出すことができる。
【００５５】
また、マスタ表示装置１０は、画像データが表す文書画像の内容に適したスレーブ表示装置２０の開き方向しかスレーブ表示装置２０を物理的に移動させないようにしてもよい。この場合、マスタ表示装置１０またはスレーブ表示装置２０のレールの長手方向の両端には、その表示装置に直接連結されたスレーブ表示装置２０を図３中の矢印Ｒ方向および矢印Ｌ方向のいずれの方向にも移動させないようにするためのロック機構が設けられる。そして、マスタ表示装置１０のＣＰＵ１５は、上述のようにしてスレーブ表示装置２０の開き方向を特定すると、特定した開き方向側にあるロック機構を解除して、自装置に直接連結されたスレーブ表示装置２０をその開き方向にのみ移動可能にする。これにより、利用者が文書画像の内容に適さない方向にスレーブ表示装置２０を引き出すことを防ぐことができる。
【００５６】
（変形例９）
上述した実施形態では、スレーブ表示装置２０が図３中の矢印Ｒ方向または矢印Ｌ方向のいずれに開かれた場合にも、各々のスレーブ表示装置２０の記憶性表示体２１に表示される画像は変わらないようになっていた。これに対し、スレーブ表示装置２０の開き方向に応じて、表示される画像を変えてもよい。この場合、マスタ表示装置１０のＲＯＭ１６には、図６に示したＩＤ管理テーブルＴの他に、装置ＩＤを並び替えた第２のＩＤ管理テーブルが記憶される。この第２のＩＤ管理テーブルにおいては、装置ＩＤ「０１」とデータ名「ｉｍａｇｅ１」が対応付けられ、装置ＩＤ「０２」とデータ名「ｉｍａｇｅ２」、装置ＩＤ「０３」とデータ名「ｉｍａｇｅ３」、装置ＩＤ「０４」とデータ名「ｉｍａｇｅ４」とが対応付けられる。この場合、マスタ表示装置１０のＣＰＵ１５は、送信アンテナ部１２ａと１２ｂのいずれのインダクタンスが変化したかに応じて、スレーブ表示装置２０が開かれた方向を特定する。そして、ＣＰＵ１５は、スレーブ表示装置２０が図３中の矢印Ｒ方向に開かれた場合には、図６に示したＩＤ管理テーブルＴを参照して画像データの送信を行い、スレーブ表示装置２０が図３中の矢印Ｌ方向に開かれた場合には、上述した第２のＩＤ管理テーブルを参照して画像データの送信を行う。
【００５７】
これにより、スレーブ表示装置２０が図３中の矢印Ｌ方向に開かれた場合には、右端のマスタ表示装置１０には１ページ目の画像が表示され、その左隣のスレーブ表示装置２０Ａには２ページ目の画像が表示され、その左隣のスレーブ表示装置２０Ｂには３ページ目の画像が表示され、左端のスレーブ表示装置２０Ｃには４ページ目の画像が表示される。上述したように、スレーブ表示装置２０が図３中の矢印Ｒ方向に開かれた場合には、右端のスレーブ表示装置２０Ｃには１ページ目の画像が表示され、その左隣のスレーブ表示装置２０Ｂには２ページ目の画像が表示され、その左隣のスレーブ表示装置２０Ａには３ページ目の画像が表示され、左端のマスタ表示装置１０には４ページ目の画像が表示される。したがって、スレーブ表示装置２０が図３中の矢印Ｒ方向に開かれた場合にも、矢印Ｌ方向に開かれた場合にも、右端の表示装置から左側に向かって１ページ目〜４ページ目の画像が順に表示されるようになる。また、ＩＤ管理テーブルの装置ＩＤを並び替えて、スレーブ表示装置２０が図３中の矢印Ｒ方向または矢印Ｌ方向にいずれに開かれた場合にも、左端の表示装置から右側に向かって１ページ目〜４ページ目の画像が順に表示されるようにしてもよい。これにより、利用者は、どちらの方向にスレーブ表示装置２０を開いても、画像を一定の方向に閲覧することができる。
【００５８】
（変形例１０）
上述した実施形態において、マスタ表示装置１０のＣＰＵ１５によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００５９】
【図１】本実施形態に係る表示システムの外観を示す斜視図である。
【図２】上記表示システムの側面図である。
【図３】上記表示システムのスレーブ表示装置が開閉する様子を示す平面図である。
【図４】上記表示システムのマスタ表示装置の外観を示す平面図である。
【図５】上記マスタ表示装置の電気的構成を示すブロック図である。
【図６】上記マスタ表示装置が記憶するＩＤ管理テーブルの一例を示す図である。
【図７】上記表示システムのスレーブ表示装置の外観を示す平面図である。
【図８】上記スレーブ表示装置の電気的構成を示すブロック図である。
【図９】上記スレーブ表示装置が引き出された様子を示す平面図である。
【図１０】上記スレーブ表示装置が引き出されたときの表示システムの側面図である。
【図１１】上記表示システムのＩＤ割当処理を示すシーケンス図である。
【図１２】上記表示システムの動作を説明するためのタイミングチャートである。
【図１３】上記表示システムの表示処理を示すシーケンス図である。
【図１４】上記表示システムの動作を説明するためのタイミングチャートである。
【符号の説明】
【００６０】
１…表示システム、１０…マスタ表示装置、１１…記憶性表示体（表示手段）、１２…送信アンテナ部（送信手段）、１３…受信アンテナ部、１４…電源（電力供給手段）、１５…ＣＰＵ（割当手段、送信手段）、１６…ＲＯＭ（記憶手段）、１７…ＲＡＭ、１８…制御回路（送信手段）、１９…駆動回路（表示制御手段）、３１…駆動制御回路、３２…タッチセンサ、３３…Ａ／Ｄコンバータ、３４…スレーブ信号回路、３５…ＲＡＭ、２０…スレーブ表示装置、２１…記憶性表示体（表示手段）、２２…送信アンテナ部（送受信手段）、２３…受信アンテナ部（送受信手段）、２４…制御回路（送受信手段）、２５…駆動回路（表示制御手段）、４１…駆動制御回路、４２…タッチセンサ、４３…Ａ／Ｄコンバータ、４４…スレーブ信号回路、４５…ＲＡＭ、ｄ１〜ｄ３，ｄ１’〜ｄ３’…レール（連結手段）。
【図１】
2009211418.tif 000003
【図２】
2009211418.tif 000004
【図３】
2009211418.tif 000005
【図４】
2009211418.tif 000006
【図５】
2009211418.tif 000007
【図６】
2009211418.tif 000008
【図７】
2009211418.tif 000009
【図８】
2009211418.tif 000010
【図９】
2009211418.tif 000011
【図１０】
2009211418.tif 000012
【図１１】
2009211418.tif 000013
【図１２】
2009211418.tif 000014
【図１３】
2009211418.tif 000015
【図１４】
2009211418.tif 000016